(57)【要約】【課題】無線によるデータ交信が可能なＲＦＩＤインレット５を荷物用ＲＦＩＤラベルのループ形態からは独立した状態で貼り付け可能として、その回収作業を簡素化可能な荷物用ＲＦＩＤラベルおよびその貼付け方法を提供すること。【解決手段】ＲＦＩＤインレット５は、粘着剤層３と台紙４との間であって、情報表示領域６の端部に位置するインレット取付け領域１０にこれを設け、情報表示領域６の裏面の取除き用台紙１９を分離して取除き用台紙１９における粘着剤層３を露出可能とし、インレット取付け領域１０の裏面にインレット側台紙１８を仮着した状態、かつラベル取付け領域７の裏面に取付け領域用台紙２２を仮着した状態で、さらに情報表示領域６を表裏に折り畳んだ状態で、ラベル取付け領域７により荷物（取っ手Ｈ）に取り付け可能とすることを特徴とする。【選択図】図３
2010256503.tif 000002
【特許請求の範囲】
【請求項１】
所定長さを有しループ状に形成して荷物に取り付け可能な帯状のラベル本体と、
このラベル本体の裏面側に設けた粘着剤層と、
この粘着剤層の裏面側に仮着した台紙と、
前記ラベル本体に取り付けるとともに無線によるデータ交信が可能なＲＦＩＤインレットと、を有する荷物用ＲＦＩＤラベルであって、
前記ラベル本体は、
前記荷物に関する情報を表示可能な情報表示領域と、
この情報表示領域に隣り合っているとともに前記荷物に当該荷物用ＲＦＩＤラベルをループ状に取り付けるための帯状のラベル取付け領域と、を有し、
前記ＲＦＩＤインレットは、
前記粘着剤層と前記台紙との間であって、前記ラベル本体における前記情報表示領域の端部に位置するインレット取付け領域にこれを設けるとともに、
前記台紙には、前記インレット取付け領域の裏面に位置するインレット側台紙を分離可能であるとともに、前記ラベル取付け領域と前記インレット取付け領域との間に位置する前記情報表示領域の裏面に位置する取除き用台紙を分離可能とする一対の分離線を形成して、この取除き用台紙の部分における前記粘着剤層を露出可能とし、
前記インレット取付け領域の裏面に前記インレット側台紙を仮着した状態、かつ前記ラベル取付け領域の裏面に前記台紙を取付け領域用台紙として仮着した状態で、さらに前記情報表示領域を表裏に折り畳んだ状態で、前記ラベル取付け領域により当該荷物用ＲＦＩＤラベルを前記荷物に取り付け可能とすることを特徴とする荷物用ＲＦＩＤラベル。
【請求項２】
前記情報表示領域のほぼ中心部に表示領域折畳み線を形成し、この表示領域折畳み線において前記ラベル本体を折り畳むことにより、前記情報表示領域の裏面における前記粘着剤層を互いに貼り付け可能とすることを特徴とする請求項１記載の荷物用ＲＦＩＤラベル。
【請求項３】
前記ラベル本体において前記インレット取付け領域の反対側の端部に貼付け補助領域を設け、その裏面の前記台紙を補助領域用台紙として分離可能とする補助分離線を形成し、この補助領域用台紙の部分の前記粘着剤層を露出可能として前記情報表示領域の裏面の前記粘着剤層に貼り付け可能とすることを特徴とする請求項１記載の荷物用ＲＦＩＤラベル。
【請求項４】
前記インレット取付け領域を、前記情報表示領域から切り離し可能とする切離し用ミシン目を形成したことを特徴とする請求項１記載の荷物用ＲＦＩＤラベル。
【請求項５】
前記ラベル取付け領域の幅を、前記情報表示領域の幅よりも細くしたことを特徴とする請求項１記載の荷物用ＲＦＩＤラベル。
【請求項６】
所定長さを有しループ状に形成して荷物に取り付け可能な帯状のラベル本体と、
このラベル本体の裏面側に設けた粘着剤層と、
この粘着剤層の裏面側に仮着した台紙と、
前記ラベル本体に取り付けるとともに無線によるデータ交信が可能なＲＦＩＤインレットと、を有する荷物用ＲＦＩＤラベルの貼付け方法であって、
前記ラベル本体は、
前記荷物に関する情報を表示可能な情報表示領域と、
この情報表示領域に隣り合っているとともに前記荷物に前記荷物用ＲＦＩＤラベルをループ状に取り付けるための帯状のラベル取付け領域と、を有し、
前記ＲＦＩＤインレットは、
前記粘着剤層と前記台紙との間であって、前記ラベル本体における前記情報表示領域の端部に位置するインレット取付け領域にこれを設けるとともに、
前記台紙には、前記インレット取付け領域の裏面に位置するインレット側台紙を分離可能であるとともに、前記ラベル取付け領域と前記インレット取付け領域との間に位置する前記情報表示領域の裏面に位置する取除き用台紙を分離可能とする一対の分離線を形成し、この取除き用台紙を取り除いてこの部分における前記粘着剤層を露出し、
前記インレット取付け領域の裏面に前記インレット側台紙を仮着した状態、かつ前記ラベル取付け領域の裏面に前記台紙を取付け領域用台紙として仮着した状態で、さらに前記情報表示領域を表裏に折り畳んだ状態で、前記ラベル取付け領域により前記荷物用ＲＦＩＤラベルを前記荷物に取り付けることを特徴とする荷物用ＲＦＩＤラベルの貼付け方法。
【発明の詳細な説明】
【技術分野】
【０００１】
本発明は荷物用ＲＦＩＤ（Ｒａｄｉｏ  Ｆｒｅｑｕｅｎｃｙ  Ｉｄｅｎｔｉｆｉｃａｔｉｏｎ；無線自動認識）ラベルおよびその貼付け方法にかかるもので、とくに手荷物などの取っ手その他の部位にループ状に取り付けて荷物管理に使用する荷物用ＲＦＩＤラベルおよびその貼付け方法に関するものである。
【背景技術】
【０００２】
従来から、空港などにおける搭乗者の手荷物管理システム用として、手荷物の取っ手にループ状に取り付ける手荷物用ラベルが使用されている。この手荷物用ラベルには、荷物判別用のバーコードなど機械読み取り可能なコードがあらかじめ表示されており、搭乗手続きなどの際にバーコードリーダーにより読取り処理が行われる。
【０００３】
一方、無線によりデータ交信が可能なＲＦＩＤインレットはバーコードより記憶容量が多いために、バーコードに代わって手荷物用ラベルに荷物用ＲＦＩＤラベルとして利用することが要請されている。
しかしながら、ＲＦＩＤインレットは、一般的なラベル材料より高価であり、使用後にこれを回収して再度利用することが行われているが、ＲＦＩＤインレットの取付部位によってはこの回収の手間が面倒であるという問題がある。
さらに、荷物用ＲＦＩＤラベルには、人間が視認可能な各種の情報を表示するための情報表示領域用に所定面積を確保しておく必要もあり、荷物用ＲＦＩＤラベルを取っ手にループ状に巻き付ける際に、幅が太いラベルの場合には、取っ手にもいろいろな大きさや形状があるため、取り付けづらいという問題がある。また、ループ状に巻き付けるラベルの幅を細くすると情報表示領域の面積が十分に確保することが困難であるという問題がある。
【０００４】
もちろん、空港における手荷物以外の一般的な荷物にＲＦＩＤラベルを取り付ける場合についても同様な諸問題がある。
【先行技術文献】
【特許文献】
【０００５】
【特許文献１】特開２００８−３０５１２５号公報
【発明の概要】
【発明が解決しようとする課題】
【０００６】
本発明は以上のような諸問題にかんがみなされたもので、ＲＦＩＤインレットの回収が容易な荷物用ＲＦＩＤラベルおよびその貼付け方法を提供することを課題とする。
【０００７】
また本発明は、ＲＦＩＤインレットを荷物用ＲＦＩＤラベルのループ形態からは独立した状態で貼り付け可能として、その回収作業を簡素化可能な荷物用ＲＦＩＤラベルおよびその貼付け方法を提供することを課題とする。
【０００８】
また本発明は、荷物の取っ手などにループ状に取り付けやすくすることができる荷物用ＲＦＩＤラベルおよびその貼付け方法を提供することを課題とする。
【０００９】
また本発明は、情報表示領域の面積を不必要に小さくすることなく、荷物の取っ手などへの取付け操作を容易にすることができる荷物用ＲＦＩＤラベルおよびその貼付け方法を提供することを課題とする。
【課題を解決するための手段】
【００１０】
すなわち本発明は、ＲＦＩＤインレットを荷物用ＲＦＩＤラベルの端部における台紙と粘着剤層との間に設けることに着目したもので、第一の発明は、所定長さを有しループ状に形成して荷物に取り付け可能な帯状のラベル本体と、このラベル本体の裏面側に設けた粘着剤層と、この粘着剤層の裏面側に仮着した台紙と、上記ラベル本体に取り付けるとともに無線によるデータ交信が可能なＲＦＩＤインレットと、を有する荷物用ＲＦＩＤラベルであって、上記ラベル本体は、上記荷物に関する情報を表示可能な情報表示領域と、この情報表示領域に隣り合っているとともに上記荷物に当該荷物用ＲＦＩＤラベルをループ状に取り付けるための帯状のラベル取付け領域と、を有し、上記ＲＦＩＤインレットは、上記粘着剤層と上記台紙との間であって、上記ラベル本体における上記情報表示領域の端部に位置するインレット取付け領域にこれを設けるとともに、上記台紙には、上記インレット取付け領域の裏面に位置するインレット側台紙を分離可能であるとともに、上記ラベル取付け領域と上記インレット取付け領域との間に位置する上記情報表示領域の裏面に位置する取除き用台紙を分離可能とする一対の分離線を形成して、この取除き用台紙の部分における上記粘着剤層を露出可能とし、上記インレット取付け領域の裏面に上記インレット側台紙を仮着した状態、かつ上記ラベル取付け領域の裏面に上記台紙を取付け領域用台紙として仮着した状態で、さらに上記情報表示領域を表裏に折り畳んだ状態で、上記ラベル取付け領域により当該荷物用ＲＦＩＤラベルを上記荷物に取り付け可能とすることを特徴とする荷物用ＲＦＩＤラベルである。
【００１１】
第二の発明は、所定長さを有しループ状に形成して荷物に取り付け可能な帯状のラベル本体と、このラベル本体の裏面側に設けた粘着剤層と、この粘着剤層の裏面側に仮着した台紙と、上記ラベル本体に取り付けるとともに無線によるデータ交信が可能なＲＦＩＤインレットと、を有する荷物用ＲＦＩＤラベルの貼付け方法であって、上記ラベル本体は、上記荷物に関する情報を表示可能な情報表示領域と、この情報表示領域に隣り合っているとともに上記荷物に上記荷物用ＲＦＩＤラベルをループ状に取り付けるための帯状のラベル取付け領域と、を有し、上記ＲＦＩＤインレットは、上記粘着剤層と上記台紙との間であって、上記ラベル本体における上記情報表示領域の端部に位置するインレット取付け領域にこれを設けるとともに、上記台紙には、上記インレット取付け領域の裏面に位置するインレット側台紙を分離可能であるとともに、上記ラベル取付け領域と上記インレット取付け領域との間に位置する上記情報表示領域の裏面に位置する取除き用台紙を分離可能とする一対の分離線を形成し、この取除き用台紙を取り除いてこの部分における上記粘着剤層を露出し、上記インレット取付け領域の裏面に上記インレット側台紙を仮着した状態、かつ上記ラベル取付け領域の裏面に上記台紙を取付け領域用台紙として仮着した状態で、さらに上記情報表示領域を表裏に折り畳んだ状態で、上記ラベル取付け領域により上記荷物用ＲＦＩＤラベルを上記荷物に取り付けることを特徴とする荷物用ＲＦＩＤラベルの貼付け方法である。
【００１２】
上記情報表示領域のほぼ中心部に表示領域折畳み線を形成し、この表示領域折畳み線において上記ラベル本体を折り畳むことにより、上記情報表示領域の裏面における上記粘着剤層を互いに貼り付け可能とすることができる。
【００１３】
上記ラベル本体において上記インレット取付け領域の反対側の端部に貼付け補助領域を設け、その裏面の上記台紙を補助領域用台紙として分離可能とする補助分離線を形成し、この補助領域用台紙の部分の上記粘着剤層を露出可能として上記情報表示領域の裏面の上記粘着剤層に貼り付け可能とすることができる。
【００１４】
上記インレット取付け領域を、上記情報表示領域から切り離し可能とする切離し用ミシン目を形成することができる。
【００１５】
上記ラベル取付け領域の幅を、上記情報表示領域の幅よりも細くすることができる。
【発明の効果】
【００１６】
本発明による荷物用ＲＦＩＤラベルおよびその貼付け方法においては、粘着剤層と台紙との間であって、ラベル本体における情報表示領域の端部に位置するインレット取付け領域にＲＦＩＤインレットを設けるようにしたので、当該荷物用ＲＦＩＤラベルを荷物の取っ手などに取り付けた状態で、ＲＦＩＤインレットを有しているインレット取付け領域が情報表示領域の端部にあり、かつＲＦＩＤインレットが粘着剤層と台紙（インレット側台紙）との間に位置しているので、このインレット側台紙を取り外せば、ＲＦＩＤインレットを粘着剤層から簡単に剥離して取り出すことができ、再利用可能である。
【００１７】
とくに第一の発明の荷物用ＲＦＩＤラベルによれば、情報表示領域を表裏に折り畳んだ状態で荷物の取っ手などに当該荷物用ＲＦＩＤラベルを取り付けた際には、この情報表示領域の端部に位置してインレット側台紙とともにＲＦＩＤインレットを取り付けた状態とすることができるので、インレット取付け領域を情報表示領域から切り離せば、インレット取付け領域におけるＲＦＩＤインレットを簡単に回収可能であり、高コストのＲＦＩＤインレットの再利用を促進することができる。
【００１８】
とくに第二の発明の荷物用ＲＦＩＤラベルの貼付け方法によれば、インレット取付け領域にインレット側台紙を残したままの状態で荷物用ＲＦＩＤラベルを荷物に取り付けておくことができるので、ＲＦＩＤインレットの部分はインレット側台紙により粘着剤層自体とは直接接触することがなく、荷物用ＲＦＩＤラベルの荷物への取付け状態からのＲＦＩＤインレットの回収が容易である。
【図面の簡単な説明】
【００１９】
【図１】本発明の第１の実施例による荷物用ＲＦＩＤラベル１の平面図である。
【図２】同、図１のＩＩ−ＩＩ線断面図である。
【図３】同、荷物用ＲＦＩＤラベル１から取除き用台紙１９および補助領域用台紙２１を分離した状態の、図２と同様の断面図である。
【図４】同、荷物用ＲＦＩＤラベル１を取っ手Ｈに掛けまわして取り付けた状態を示す、図２と同様の断面図である。
【図５】同、本発明の第２の実施例による荷物用ＲＦＩＤラベル３０の平面図である。
【図６】同、図５のＶＩ−ＶＩ線断面図である。
【図７】同、荷物用ＲＦＩＤラベル３０から取除き用台紙１９および補助領域用台紙２１を分離した状態の、図６と同様の断面図である。
【発明を実施するための形態】
【００２０】
本発明は、ラベル本体における情報表示領域の端部に位置するインレット取付け領域においてインレット側台紙と粘着剤層との間にＲＦＩＤインレットを設けるようにしたので、荷物用ＲＦＩＤラベルを荷物に取り付けた状態で、ＲＦＩＤインレットは粘着剤と接触することがなく、インレット取付け領域ごと分離すれば、ＲＦＩＤインレットを容易に回収してリサイクル可能とすることができる荷物用ＲＦＩＤラベルおよびその貼付け方法を実現した。
【実施例】
【００２１】
つぎに本発明の第１の実施例による荷物用ＲＦＩＤラベル１およびその貼付け方法を図１ないし図４にもとづき説明する。
図１は、荷物用ＲＦＩＤラベル１の平面図、図２は、図１のＩＩ−ＩＩ線断面図であって、荷物用ＲＦＩＤラベル１は、ラベル本体２と、ラベル本体２の裏面側に設けた粘着剤層３と、粘着剤層３の裏面側に仮着した台紙４と、ＲＦＩＤインレット５と、を有する。
【００２２】
ラベル本体２は、所定長さを有しループ状に形成して荷物（その取っ手Ｈ、図３、図４）に取り付け可能なように紙材あるいはＰＥＴなどの合成樹脂材その他任意の材料による帯状部材である。
ラベル本体２は、情報表示領域６と、情報表示領域６より長い長さの帯状のラベル取付け領域７と、を有する。
【００２３】
情報表示領域６は、荷物に関する必要な情報を表示可能であって、たとえば人間の目により視認可能な航空便番号８などを印字可能である。
ラベル本体２における情報表示領域６のほぼ中心部には、ミシン目などによる表示領域折畳み線９を形成し、この表示領域折畳み線９においてラベル本体２を表裏ほぼ半分に折り畳むことができるようにしている。なお、この表示領域折畳み線９を境に表裏に位置するように上記一対の航空便番号８を印字することにより、表裏いずれの面からでも視認を可能とする。
さらに、ラベル取付け領域７とは反対側の情報表示領域６の端部に位置して、インレット取付け領域１０を設けており、このインレット取付け領域１０にＲＦＩＤインレット５を設ける。
インレット取付け領域１０を情報表示領域６の主要部から切り離し可能とするための切離し用ミシン目１１を形成している。
【００２４】
ラベル取付け領域７は、情報表示領域６に隣り合っているとともに荷物に当該荷物用ＲＦＩＤラベル１をループ状に取り付けるためのものである。
ラベル取付け領域７のほぼ中心部には、台紙４まで貫通して互いに相対向するたとえば「く」の字形の切込み線１２を形成し、ラベル取付け領域７を切り裂きやすくしている。
【００２５】
ＲＦＩＤインレット５は、インレット取付け領域１０における粘着剤層３と台紙４（インレット側台紙１８、後述）との間にこれを設けるとともに、無線によるデータ交信が可能であって、そのフィルム基材１３にＩＣチップ１４およびアンテナ１５を有し、搭乗手続きなどの際に、アンテナ１５を介してＩＣチップ１４のデータをリーダーライター（図示せず）により読み取り、あるいはＩＣチップ１４にデータを書き込んで、必要な管理処理を行う。
【００２６】
台紙４には、情報表示領域６において、上層側の切離し用ミシン目１１に対応した位置および情報表示領域６とラベル取付け領域７との間の位置それぞれに幅方向の一対の分離線１６を形成するとともに、インレット取付け領域１０とは反対側のラベル取付け領域７の端部において、その幅方向に補助分離線１７を形成している。
上記一対の分離線１６によって、インレット取付け領域１０の裏面に位置するインレット側台紙１８を分離可能とするとともに、ラベル取付け領域７とインレット取付け領域１０との間に位置する情報表示領域６の裏面に位置する取除き用台紙１９を分離可能とすることにより取除き用台紙１９の部分における粘着剤層３を露出可能としている。
【００２７】
また、ラベル本体２においてインレット取付け領域１０の反対側の端部に貼付け補助領域２０を設け、上記補助分離線１７によりその裏面の台紙４を補助領域用台紙２１として分離可能として、この補助領域用台紙２１の部分の粘着剤層３を露出可能とし、ラベル取付け領域７をループ状に形成する際に情報表示領域６の裏面の粘着剤層３に貼り付け可能とする。
【００２８】
台紙４における上述のインレット側台紙１８、取除き用台紙１９および補助領域用台紙２１以外の部分を取付け領域用台紙２２とする。
【００２９】
こうした構成の荷物用ＲＦＩＤラベル１において、荷物用ＲＦＩＤラベル１の情報表示領域６に必要な情報として航空便番号８などを印字表示するとともに、インレット取付け領域１０のＲＦＩＤインレット５に必要な情報を書き込み、あるいは読み取りした状態で、とくに図３に示すように、一対の分離線１６により情報表示領域６の部分から取除き用台紙１９を剥離（分離）して、この部分の粘着剤層３を露出するとともに、貼付け補助領域２０の部分から補助領域用台紙２１を剥離（分離）して、この部分の粘着剤層３を露出する。
【００３０】
すなわち、図３は、荷物用ＲＦＩＤラベル１から取除き用台紙１９および補助領域用台紙２１を分離した状態の、図２と同様の断面図であって、情報表示領域６の裏面の取除き用台紙１９を取り除いてこの部分における粘着剤層３を露出するとともに、貼付け補助領域２０の裏面の補助領域用台紙２１を取り除いてこの部分における粘着剤層３を露出することにより、インレット取付け領域１０の裏面にインレット側台紙１８を仮着した状態、かつラベル取付け領域７の裏面に取付け領域用台紙２２を仮着した状態とする。
【００３１】
図４は、荷物用ＲＦＩＤラベル１を取っ手Ｈに掛けまわして取り付けた状態を示す、図２と同様の断面図であって、荷物の取っ手Ｈに貼付け補助領域２０の部分から掛けまわし、貼付け補助領域２０の裏面側の粘着剤層３を情報表示領域６の裏面側の粘着剤層３に貼り付けてラベル取付け領域７をループ状とし、さらに表示領域折畳み線９の部分で情報表示領域６を表裏半分に折り畳んだ状態で、ラベル取付け領域７により当該荷物用ＲＦＩＤラベル１を荷物に取り付け可能とする。
【００３２】
かくして、ラベル本体２の裏面における粘着剤層３を部分的に用いて、貼付け補助領域２０の裏面の粘着剤層３が情報表示領域６の裏面の粘着剤層３に互いに貼り付いた状態で、ラベル取付け領域７によるループ形成状態を確保し、また、情報表示領域６のほぼ中心部に形成した表示領域折畳み線９においてラベル本体２を表裏半分に折り畳むことにより、情報表示領域６の裏面における粘着剤層３を互いに貼り付け可能とし、情報表示領域６の表裏に必要な情報を航空便番号８などにより表示可能とする。
【００３３】
したがって、ＲＦＩＤインレット５が取り付けられているインレット取付け領域１０の部分は、インレット側台紙１８とラベル本体２の貼付け補助領域２０との非粘着状態を保持したままで、荷物用ＲＦＩＤラベル１のループ形状の端部に位置することになり、切離し用ミシン目１１の部分でインレット取付け領域１０をインレット側台紙１８およびＲＦＩＤインレット５とともに荷物用ＲＦＩＤラベル１から切り取ることができる。
さらに、インレット側台紙１８を分離すれば、粘着剤層３の表面にＲＦＩＤインレット５が位置しており、このＲＦＩＤインレット５を容易にはがして、ＩＣチップ１４内のデータを消去して、再利用可能である。
【００３４】
また、ラベル取付け領域７には、切込み線１２が形成されているので、荷物用ＲＦＩＤラベル１が必要なくなったときに、ラベル取付け領域７を引き裂いて荷物の取っ手Ｈから取り除く操作を補助可能である。
【００３５】
なお、貼付け補助領域２０における補助領域用台紙２１を分離することなく、この補助領域用台紙２１を情報表示領域６の裏面の粘着剤層３に貼り付けるようにすることもできる。
【００３６】
図５は、本発明の第２の実施例による荷物用ＲＦＩＤラベル３０の平面図、図６は、図５のＶＩ−ＶＩ線断面図であって、荷物用ＲＦＩＤラベル３０においては、とくに図５に示すように、ラベル取付け領域３１の幅を情報表示領域６の幅よりも細くしている。
他の構造としては、荷物用ＲＦＩＤラベル１（図１ないし図４）と事実上同じである。
【００３７】
図７は、荷物用ＲＦＩＤラベル３０から取除き用台紙１９および補助領域用台紙２１を分離した状態の、図６と同様の断面図であって、取除き用台紙１９および補助領域用台紙２１の部分の粘着剤層３をそれぞれ露出可能である。
【００３８】
こうした構成の荷物用ＲＦＩＤラベル３０において、取っ手Ｈへの荷物用ＲＦＩＤラベル３０の取付け操作そのものは、既述した荷物用ＲＦＩＤラベル１（図１）と同様であるが、取っ手Ｈへの荷物用ＲＦＩＤラベル３０の取付け形態も図４に示した断面図と同様であって、ＲＦＩＤインレット５の回収操作も同様に容易である。
【００３９】
さらに、取っ手Ｈに掛けまわすラベル取付け領域３１の部分が情報表示領域６より幅方向に細いので、取扱い処理が容易であり、ループ状に形成する操作自体も容易で、取っ手Ｈへの掛けまわし操作ないし取付け操作を迅速に行うことができる。
しかも、情報表示領域６自体の面積は従来と同様であるので、必要な情報を表示する領域を確保しておくことができる。
【符号の説明】
【００４０】
１  荷物用ＲＦＩＤラベル（第１の実施例、図１〜図４）
２  ラベル本体
３  粘着剤層
４  台紙
５  ＲＦＩＤインレット
６  情報表示領域
７  ラベル取付け領域
８  航空便番号
９  表示領域折畳み線
１０  インレット取付け領域
１１  切離し用ミシン目
１２  切込み線
１３  フィルム基材
１４  ＩＣチップ
１５  アンテナ
１６  一対の分離線
１７  補助分離線
１８  インレット側台紙
１９  取除き用台紙
２０  貼付け補助領域
２１  補助領域用台紙
２２  取付け領域用台紙
３０  荷物用ＲＦＩＤラベル（第２の実施例、図５〜図７）
３１  ラベル取付け領域
Ｈ    荷物の取っ手（図３、図４）
【図１】
2010256503.tif 000003
【図２】
2010256503.tif 000004
【図３】
2010256503.tif 000005
【図４】
2010256503.tif 000006
【図５】
2010256503.tif 000007
【図６】
2010256503.tif 000008
【図７】
2010256503.tif 000009